(57)【要約】      （修正有）【課題】ハイブリッド型のピックアップフレームにおいて、接着剤の硬化収縮によって光軸が傾くのを抑える。【解決手段】ピックアップフレーム８は、発光素子から発射された光を立ち上げミラー１８で反射して光ディスクに向けて照射する光ピックアップ装置４に用いられるフレーム８であって、光学ベース３０と、支持ベース３２と、第１接合部４０及び第２接合部４１と、を備えている。光学ベースは、発光素子１１を支持する金属製である。支持ベースは、光学ベースを支持する合成樹脂製である。第１接合部及び第２接合部は、第１光軸Ｌ１を挟んで配置され、光学ベースを支持ベースに接着剤により接合するものである。第１接合部及び第２接合部は、第１光軸Ｌ１と実質的に直交する第３光軸の一方向において、接着剤ＡＤが付着する光学ベースの接合面と支持ベース３の接合面とが同じ順に配置されている。【選択図】図３
2010123202.tif 000002
【特許請求の範囲】
【請求項１】
発光素子から発射された光を立ち上げミラーで反射して記録媒体に向けて照射する光ピックアップ装置に用いられるピックアップフレームであって、
前記発光素子を支持する金属製の光学ベースと、
前記光学ベースを支持する合成樹脂製の支持ベースと、
第１基本軸を挟んで配置され、前記光学ベースを前記支持ベースに接着剤により接合する第１接合部及び第２接合部と、を備え、
前記第１接合部及び前記第２接合部は、前記第１基本軸と実質的に直交する第２基本軸の一方向において、前記接着剤が付着する前記光学ベースの接合面と前記支持ベースの接合面とが同じ順に配置されている、光ピックアップ装置用ピックアップフレーム。
【請求項２】
前記第１基本軸は、前記発光素子の光軸である、
請求項１に記載の光ピックアップ装置用ピックアップフレーム。
【請求項３】
前記第１基本軸は、前記発光素子の光軸と実質的に直交する軸である、
請求項１に記載の光ピックアップ装置用ピックアップフレーム。
【請求項４】
前記第１接合部から前記第１基本軸方向に間隔を隔てて配置された第３接合部と、
前記第２接合部から前記第１基本軸方向に間隔を隔てて配置された第４接合部と、をさらに備える、
請求項２又は３に記載の光ピックアップ装置用ピックアップフレーム。
【請求項５】
前記第１接合部と前記第２接合部及び前記第３接合部と前記第４接合部は、それぞれ少なくとも一部が対向して配置されている、請求項４に記載の光ピックアップ装置用ピックアップフレーム。
【請求項６】
前記第３接合部及び前記第４接合部は、前記一方向において、前記光学ベースの接合面と前記支持ベースの接合面とが前記第１接合部及び第２接合部と同じ順に配置されている、
請求項４又は５に記載の光ピックアップ装置用ピックアップフレーム。
【請求項７】
前記支持ベースは、前記立ち上げミラーを支持するミラー支持部を有する、請求項６に記載の光ピックアップ装置用ピックアップフレーム。
【請求項８】
前記第３接合部及び前記第４接合部は、前記一方向において、前記光学ベースの接合面と前記支持ベースの接合面とが前記第１接合部及び第２接合部と逆の順に配置されており、
前記光学ベースは、前記立ち上げミラーを支持するミラー支持部を有する、
請求項４又は５に記載の光ピックアップ装置用ピックアップフレーム。
【請求項９】
請求項１から８のいずれか１項に記載のピックアップフレームと、
前記発光素子と、
前記光学ベースに設けられ、前記発光素子から出射された光を処理する光学処理部と、
前記立ち上げミラーを含み、前記光学処理部で処理された光を記録媒体に向けて照射する光照射部と、
を備えた光ピックアップ装置。
【請求項１０】
固定台と、
前記固定台に対して移動可能な、請求項９に記載の光ピックアップ装置と、
前記固定台に前記光ピックアップ装置に対向可能に配置され、前記記録媒体を載置して回転可能な記録媒体載置部と、
を備えた記録再生装置。
【発明の詳細な説明】
【技術分野】
【０００１】
本発明は、合成樹脂と金属を用いたハイブリッド型のピックアップフレーム、ピックアップフレームを用いた光ピックアップ装置、及び光ピックアップ装置を用いた記録再生装置に関する。
【背景技術】
【０００２】
記録再生装置としての光ディスク駆動装置により回転される光ディスクの信号面に光を入射して、この光ディスクに記録されている情報信号を読み取る手段として、または光ディスクに情報を書き込む手段として、光ピックアップ装置が用いられている。
近年、光ディスクの高記録密度化、高速記録化に伴って、発光素子の高出力化が進行している。この発光素子の高出力化に比例して発光素子からの発熱量が増加するため、放熱対策を十分に行う必要がある。そこで、放熱対策を行いつつ軽量化を図るために、精度が特に必要な光学部品や光学処理部を装着する光学ベースを金属製にし、光学ベースを支持するとともに移動のための案内部分などが含まれる支持ベースに合成樹脂を用いたハイブリッド型のピックアップフレームが従来知られている（例えば、特許文献１参照）。
特許文献１のピックアップフレームでは、枠状に形成された合成樹脂製の支持ベース（メインフレーム）の中に金属製の光学ベース（サブフレーム）を搭載する光学ベース搭載領域が設けられている。光学部ベース搭載領域は、光学ベースを三方から囲むように形成されており、このピックアップフレームでは、発光素子や光学処理部の各光学部品等の部品が光学ベースに接着固定されている。また立ち上げミラーや対物レンズ等の光照射部が支持ベースに装着されている。
【０００３】
支持ベースの光学ベース搭載領域を両側で挟む２カ所には、第１光学ベース連結領域と第２光学ベース連結領域が形成されている。光学ベースには、第１光学ベース連結領域及び第２光学ベース連結領域に接着される第１連結板部及び第２連結板部が両側に形成されている。第１連結板部及び第２連結板部は、それぞれ間隔を隔てて１対形成されている。したがって、光学ベースは、支持ベースに４カ所で固定されている。
【特許文献１】特開２００７−１５７２１０号公報
【発明の開示】
【発明が解決しようとする課題】
【０００４】
特許文献１に開示されたピックアップフレームの場合、合成樹脂製の支持ベースに金属製の光学ベースを両側の４カ所で接着剤により固定している。このため、接着剤の初期硬化時の収縮により支持ベースが変形し、発光素子から照射される光の第１光軸や立ち上げミラーで反射して光ディスクに照射される第２光軸が傾くおそれがある。第１光軸及び第２光軸、特に第２光軸が傾くと、記録媒体への照射位置が変化し、光ピックアップ装置の信頼性の確保が困難になる。
本発明の課題は、光ピックアップ装置に用いられる金属と合成樹脂とを用いたハイブリッド型のピックアップフレームにおいて、接着剤の硬化収縮によって光軸が傾くのを抑えることにある。
【課題を解決するための手段】
【０００５】
第１の発明に係るピックアップフレームは、発光素子から発射された光を立ち上げミラーで反射して記録媒体に向けて照射する光ピックアップ装置に用いられるピックアップフレームであって、光学ベースと、支持ベースと、第１接合部及び第２接合部と、を備えている。光学ベースは、発光素子を支持する金属製のものである。支持ベースは、光学ベースを支持する合成樹脂製のものである。第１接合部及び第２接合部は、第１基本軸を挟んで配置され、光学ベースを支持ベースに接着剤により接合するものである。第１接合部及び第２接合部は、第１基本軸と実質的に直交する第２基本軸の一方向において、接着剤が付着する光学ベースの接合面と支持ベースの接合面とが同じ順に配置されている。
このピックアップフレームでは、光学ベースが第１接合部及び第２接合部で支持ベースに接着剤により接合されている。第１接合部及び第２接合部は、第１基本軸と実質的に直交する第２基本軸の一方向において、接着剤が付着する光学ベースの接合面と支持ベースの接合面とが同じ順に配置されている。このため、接着剤が硬化収縮しても、支持ベースが変形しにくく光学ベースが同じ一方向にわずかに移動するだけである。
【０００６】
ここでは、接着剤が硬化収縮しても、光学ベースが一方向にわずかに移動するだけなので、光学ベースが傾きにくくなり、発光素子から立ち上げミラーまでの第１光軸及び立ち上げミラーで反射した第２光軸が傾きにくくなる。
第２の発明に係るピックアップフレームは、第１の発明に係るピックアップフレームであって、第１基本軸は、発光素子の光軸である。
この場合は、第１基本軸が発光素子の光軸であるので、光軸を挟んで第１接合部及び第２接合部を配置できる。このため、接着剤が硬化収縮すると、第１光軸が光軸と直交する方向にわずかにずれることがあるが、光軸自体は傾きにくくなる。
第３の発明に係るピックアップフレームは、第１の発明に係るピックアップフレームであって、第１基本軸は、発光素子の光軸（第１光軸）と実質的に直交する軸である。
【０００７】
この場合は、第１基本軸が発光素子の光軸と実質的に直交しているので、光軸方向に間隔を隔てて第１接合部及び第２接合部を配置できる。このため、接着剤が硬化収縮しても光軸方向にずれるだけであり、光軸が傾きにくくなる。
第４の発明に係るピックアップフレームは、第２又は第３の発明に係るピックアップフレームであって、第１接合面から第１基本軸方向に間隔を隔てて配置された第３接合部と、第２接合面から第１基本軸方向に間隔を隔てて配置された第４接合部と、をさらに備える。
この場合には、第１接合部及び第２接合部に加えて第３接合部及び第４接合部でも光学ベースを支持ベースに接合できるので、接合部分が増加し、光学ベースを支持ベースに強固に接合できる。
【０００８】
第５の発明に係るピックアップフレームは、第４の発明に係るピックアップフレームであって、第１接合部と第２接合部及び第３接合部と第４接合部は、それぞれ少なくとも一部が対向して配置されている。
この場合には、第１接合部と第２接合部の少なくとも一部が対向して配置され、第３接合部と第４接合部の少なくとも一部が対向して配置されている。このため、第１接合部と第２接合部での移動量と第３接合部と第４接合部とでの接着剤の硬化収縮時の移動量が実質的に同じになり、光軸がさらに傾きにくくなる。
第６の発明に係るピックアップフレームは、第４又は第５の発明に係るピックアップフレームであって、第３接合部及び第４接合部は、一方向において、光学ベースの接合面と支持ベースの接合面とが第１接合部及び第２接合部と同じ順に配置されている。
【０００９】
この場合には、第３接合部及び第４接合部が第１接合部及び第２接合部と一方向において同じ順に配置されているので、硬化収縮時に第１接合部及び第２接合部と第３接合部及び第４接合部とで移動方向及び移動量が実質的に同じになり、第１光軸及び第２光軸がさらに傾きにくくなる。
第７の発明に係るピックアップフレームは、第６の発明に係るピックアップフレームであって、支持ベースは、立ち上げミラーを支持するミラー支持部を有する。
この場合には、立ち上げミラーを支持ベースに設けているので、光学ベースの大きさを小さくすることができ、フレーム全体の軽量化を図れる。
第８の発明に係るピックアップフレームは、第４又は第５の発明に係るピックアップフレームであって、第３接合部及び第４接合部は、一方向において、光学ベースの接合面と支持ベースの接合面とが第１接合部及び第２接合部と逆の順に配置されている。光学ベースは、立ち上げミラーを支持するミラー支持部を有する。
【００１０】
この場合は、硬化収縮時に光学ベースが回転して第１光軸がわずかに回転するが、立ち上げミラーが光学ベースのミラー支持部に設けられているので、光学ベースの回転の影響を受けなくなり、第２光軸が傾きにくくなる。
第９の発明に係る光ピックアップ装置は、第１から第８のいずれかの発明に係るピックアップフレームと、発光素子と、光学処理部と、光照射部と、を備えている。光学処理部は、光学ベースに設けられ、発光素子から出射された光を処理する。光処理部は、立ち上げミラーを含み、光学処理部で処理された光を記録媒体に向けて照射する。
この光ピックアップ装置では、接着剤の硬化収縮による光軸の傾きを抑えることができるため、光軸の傾きによる光学特性の低下を抑えることができる。
第１０の発明に係る記録再生装置は、固定台と、固定台に対して移動可能な第９の発明に係る光ピックアップ装置と、記録媒体載置部と、を備えている。記録媒体載置部は、固定台に光ピックアップ装置に対向可能に配置され、記録媒体を載置して回転可能なものである。
【発明の効果】
【００１１】
本発明に係るピックアップフレームでは、接着剤が硬化収縮しても、光学ベースが一方向にわずかに移動するだけなので、光学ベースが傾きにくくなり、発光素子から立ち上げミラーまでの第１光軸及び立ち上げミラーで反射した第２光軸が傾きにくくなる。
【発明を実施するための最良の形態】
【００１２】
＜第１実施形態＞
図１及び図２を用いて、本発明の第１実施形態を採用した光学式情報記録再生装置（以下、「記録再生装置」という。）１の構成について説明する。図１に記録再生装置１の概略斜視図、図２に記録再生装置１の部分斜視図を示す。なお、以降の説明では、図１の右斜め方向をＸ軸方向、光ピックアップ装置４のトラッキング方向である図１の左右方向をＹ軸方向、Ｘ軸およびＹ軸に直交する方向（図１の上下方向）をＺ軸方向とし、図１において、右斜め上側をＸ軸方向正側、左側をＹ軸方向正側、上側をＺ軸方向正側とする。
図１に示すように、記録再生装置１は主に、光ディスク（記録媒体の一例）２が回転可能に載置されるディスク載置部６と、ディスク載置部６上に載置され光ディスク２を回転させるスピンドルモータ７と、光ディスク２に対して情報の記録および再生を行う光ピックアップ装置４と、光ディスク２に対して光ピックアップ装置４を移動可能に支持する移動機構５とから構成されている。
【００１３】
移動機構５は主に、光ピックアップ装置４を移動させるために平行に配置された主軸９ａ及び副軸９ｂと、主軸９ａを回転させるモータ（図示せず）を備えた固定台１０とから構成されている。主軸９ａは、固定台１０にＹ軸方向に沿って配置されており、光ピックアップ装置４の後述するピックアップフレーム８に螺合するねじ部（図示せず）を有している。主軸９ａが回転することで、光ピックアップ装置４が光ディスク２の半径方向と平行なＹ軸方向に移動する。主軸９ａは、ピックアップフレーム８がＹ軸方向以外に可動するのを規制する機能も有している。副軸９ｂは、主軸９ａ回りにピックアップフレーム８が回動するのを規制するとともに、ピックアップフレーム８をＹ軸方向に移動可能に支持している。光ピックアップ装置４は主軸９ａに沿って移動する。これにより、光ピックアップ装置４は光ディスク２に対して、外周側および内周側に移動可能である。なお、光ピックアップ装置４を光ディスク２に対して移動させる機構は、上述の機構に限定されない。
【００１４】
＜光ピックアップ装置の構成＞
図３から図６を用いて本発明の一実施形態に係る光ピックアップ装置４の構成について説明する。図３に光ピックアップ装置４の平面図、図４にハイブリッド型のピックアップフレーム８の斜視図、図５にピックアップフレームの分解斜視図、図６に図３のVI−VI断面図を示す。
図３に示すように、光ピックアップ装置４は、主に、金属製の部材と合成樹脂製の部材とからなるハイブリッド型のピックアップフレーム８と、レーザ光を出射する、たとえば発光ダイオードからなる発光素子１１と、光ディスク（図示せず）で反射されたレーザ光の反射光を検出して電流に変換する受光素子１３と、発光素子１１のレーザ光の強度を検出する強度センサ１５と、を備えている。さらに、光ピックアップ装置４は、発光素子１１から出射されるレーザ光を反射させたり、平行光に変換したり、光ディスクからの反射光を反射させたりする光学処理部１７と、光学処理部１７で平行光に変換されたレーザ光を光ディスクの情報記録面に照射する光照射部２１と、を備えている。光学処理部１７は、回折格子、コリメートレンズ、検出レンズ等を含んでいる。光照射部２１は、光学処理部１７で処理された光を光ディスクに向けて反射する立ち上げミラー１８と、反射したレーザ光の焦点を光ディスクの情報記録面に合わせるための対物レンズ１９と、対物レンズ１９を光ディスクに対してフォーカス方向及びトラッキング方向（Ｙ軸方向）に駆動させるアクチュエータ２０を含んでいる。
【００１５】
＜ピックアップフレームの構成＞
ピックアップフレーム８は、図３から図６に示すように、対物レンズ１９以外の光学部品、すなわち、発光素子１１、受光素子１３、及び光学処理部１７を支持する光学ベース３０と、強度センサ１５及び光学ベース３０を支持する支持ベース３２と、を有している。また、ピックアップフレーム８は、支持ベース３２のＸ軸方向の第１端（図３右端）に設けられ、支持ベース３２がＹ軸方向以外の方向に可動するのを規制する第１軸受部３６と、支持ベース３２のＸ軸方向の第２端（図３左端）に設けられ、支持ベース３２がＹ軸方向の軸回りに回動するのを規制する第２軸受部３８と、を有している。
さらに、ピックアップフレーム８は、発光素子１１から出射されるレーザ光の第１光軸（第１基本軸の一例）Ｌ１を挟んで配置された第１接合部４０と第２接合部４１及び第３接合部４２と第４接合部４３を備えている。第３接合部４２及び第４接合部４３は、第１接合部４０及び第２接合部４１から第１光軸Ｌ１方向（Ｘ軸方向）に間隔を隔てて配置されている。これらの４つの接合部４０〜４３により光学ベース３０が支持ベース３２に接合されている。
【００１６】
＜光学ベースの構成＞
光学ベース３０は、たとえば、亜鉛やマグネシウムやアルミニウム等を主成分とする合金製であり、ダイカストにより製造された熱伝導性が良好な金属製の部材である。光学ベース３０は、支持ベース３２より僅かに薄い板状部材である。
光学ベース３０のＸ軸方向の第２軸受部３８に接近する側（図４左側）には、発光素子１１を収納して固定するための発光素子収納部３０ａが形成されている。発光素子収納部３０ａは、概ね矩形に凹んで形成されている。この発光素子収納部３０ａに発光素子１１が隙間をあけて固定されている。発光素子収納部３０ａは、その他の部分よりＹ軸方向の長さ（幅）が長く形成されている。また、光学ベース３０の中央部には、光学処理部１７を収納して固定するためのＴ字状に開口する光学処理部収納部３０ｂが形成されている。この光学処理部収納部３０ｂに光学処理部１７が隙間をあけて固定されている。光学ベース３０のＹ軸方向に間隔を隔てて配置された２つの側面の負側には、受光素子１３が隙間をあけて固定されている。光学ベース３０の発光素子１１の装着側の底面には、支持ベース３２に形成された後述する第１連結部５４を乗り超えて跨ぐように第１凹部３０ｃがＹ軸方向に沿って形成されている。この第１凹部３０ｃのＸ軸方向負側に発光素子収納部３０ａが形成されている。光学ベース３０の受光素子１３装着側の底面には、支持ベース３２の後述する第２連結部５６を乗り越えて跨ぐように第２凹部３０ｄがＸ軸方向に沿って形成されている。
【００１７】
光学ベース３０には、発光素子１１から出射されたレーザ光を立ち上げミラー１８に導くための第１光通過部３０ｅ及び第２光通過部３０ｆが光学処理部収納部３０ｂのＸ軸方向の両側に形成されている。また、光ディスクで反射しさらに光学処理部１７で反射したレーザ光を受光素子１３に導くための第３光通過部３０ｇが光学処理部収納部３０ｂの受光素子１３側に形成され、発光素子１１から出射され光学処理部１７で反射したレーザ光を強度センサ１５に導く第４光通過部３０ｈが強度センサ１５側にＵ字状の溝の形態で形成されている。このように、光学ベース３０に第１凹部３０ｃ及び第２凹部３０ｄを設け、第１凹部３０ｃ及び第２凹部３０ｄで支持ベース３２を跨ぐ（乗り越える）ことにより、支持ベース３２及び光学ベース３０の強度を確保しつつピックアップフレーム８全体の薄型化が可能になる。
【００１８】
光学ベース３０は、第２接合部４１及び第４接合部４３で接合するための接合腕部３０ｉ，３０ｊを有している。接合腕部３０ｉは、Ｌ字形状であり、発光素子収納部３０ａのＹ軸方向負側の側面からＹ軸方向負側に突出した後に屈曲してＸ軸方向負側に延びている。接合腕部３０ｊは、Ｉ字形状であり、光学ベース３０のＹ軸方向負側で第１端面からＸ軸方向に正側に突出している。
接合腕部３０ｉと、発光素子収納部３０ａのＹ軸方向負側の側面と、の間には、支持ベース３２の第２接合部４１が配置される配置溝３０ｋが形成されている。接合腕部３０ｊに隣接して第４接合部４３が配置される配置溝３０ｍが形成されている。
＜支持ベースの構成＞
支持ベース３２は、ＬＰＣ（液晶ポリマー樹脂）やＰＰＳ（ポリフェニレンサルファイド樹脂）等の高温高湿下でも優れた寸法安定性を有する合成樹脂製の板状部材である。支持ベース３２は、アクチュエータ２０を収納して固定するためのアクチュエータ収納部４４と、光学ベース３０の発光素子収納部３０ａを除く部分を収納して固定するための略矩形の第１光学ベース収納部４６と、光学ベース３０の発光素子収納部３０ａを収納して固定するためのするため第２光学ベース収納部４８と、を有している。
【００１９】
支持ベース３２は、第１光学ベース収納部４６のＹ軸方向の両側に各別に設けられた受光素子収納部５０及び強度センサ収納部５２を有している。受光素子収納部５０は、光学ベース３０に固定された受光素子１３を収納する。強度センサ収納部５２は、強度センサ１５を収納して固定する。強度センサ収納部５２は、隙間をあけて強度センサ１５を配置可能であり、強度センサ１５が接着剤により強度センサ収納部５２に固定されている。第１光学ベース収納部４６と強度センサ収納部５２との間には、光学ベース３０の第４光通過部３０ｈに連通可能な第５光通過部（光通過部の一例）５２ａがＵ字状の溝の形態で形成されている。したがって、第５光通過部５２ａは、Ｘ軸方向でつながった部分を有している。
支持ベース３２は、第１光学ベース収納部４６と第２光学ベース収納部４８との間に形成された第１連結部５４と、第１光学ベース収納部４６と受光素子収納部５０との間に形成された第２連結部５６と、を有している。
【００２０】
アクチュエータ収納部４４は、矩形形状の開口であり、支持ベース３２のＸ軸方向の第１端側（図６右側）に配置されている。アクチュエータ収納部４４は、隙間をあけてアクチュエータ２０を配置可能であり、アクチュエータ２０が接着剤によりアクチュエータ収納部４４に固定されている。アクチュエータ収納部４４と第１光学ベース収納部４６との間には、立ち上げミラー１８が支持されるミラー支持部４４ａが光学ベース３０の第２光通過部３０ｆと連通可能に形成されている。このミラー支持部４４ａは、完全に開口しており、Ｙ軸方向につながった薄肉部分がない。
第１光学ベース収納部４６は、概ね矩形形状の開口であり、アクチュエータ収納部４４よりＸ軸方向負側（図６左側）に配置されている。
第２光学ベース収納部４８は、光学ベース３０の光学素子収納部３０ａの両側にＸ軸方向負側に突出して形成されている。第２光学ベース収納部４８は、第２軸受部３８が形成された第１突出部４８ａと、第１突出部４８ａとＹ軸方向に間隔を隔てて配置された第２突出部４８ｂと、を有している。第２突出部４８ｂは、第１突出部４８ａより僅かに薄く形成されており、第１突出部４８ａより短く、光学ベース３０の先端部より僅かに突出するＸ軸方向の長さを有している。
【００２１】
支持ベース３２の第１及び第２光学ベース収納部４６，４８と、光学ベース３０と、はたとえば、０．１ｍｍから１．０ｍｍ程度の隙間をあけて配置されている。
支持ベース３２のＸ軸方向正側の第１端部には、第１軸受部３６が形成されている。第１軸受部３６は、主軸９ａに案内されるスライド軸受の機能と、主軸９ａに螺合して主軸９ａの回転によりＹ軸方向に移動するナットの機能とを有している。支持ベース３２のＸ軸方向負側の第２端部、すなわち第２光学ベース収納部４８の第１突出部４８ａには、第２軸受部３８が形成されている。第２軸受部３８は、副軸９ｂに案内されるスライド軸受であり、この実施形態では、組立作業を容易にするためにＵ字状に先端が開口するように形成されている。
第１連結部５４は、第２軸受部３８から離反した位置で第１及び第２突出部４８ａ，４８ｂを連結するようにＹ軸方向に沿って形成されている。第１連結部５４は、第１及び第２突出部４８ａ，４８ｂより薄肉である。第１連結部５４には、光学ベース３０の第１凹部３０ｃに隙間をあけて係合する補強部５４ａが他の部分より上方に突出して形成されており、光学ベース３０は、補強部５４ａを含む第１連結部５４を跨いで（乗り越えて）Ｘ軸方向の第１端側に延びている。補強部５４ａの中央部には、発光素子１１から出射されたレーザ光を光学処理部１７に導くための第６光通過部５４ｂが形成されている。第６光通過部５４ｂは、光学ベース３０の第１光通過部３０ｅに連通可能である。
【００２２】
第２連結部５６は、第１光学ベース収納部４６と受光素子収納部５０とを区画するようにＸ軸方向に沿って形成されている。第２連結部５６は、第１連結部５４よりは厚肉であるが、その他の部分よりは薄肉に形成されている。第２連結部５６は、光学ベース３０の第２凹部３０ｄに隙間をあけて係合しており、光学ベース３０は、第２連結部５６を跨いで（乗り越えて）Ｙ軸方向に負側に延びている。第２連結部５６の中央部分には、第３光通過部３０ｇに連通可能な第７光通過部５６ａがＵ字状の溝の形態で形成されている。
＜接合部の構成＞
図４及び図５に示すように、第１接合部４０は、支持ベース３２に設けられた第１支持ベース接合面４０ａと、光学ベース３０に設けられた第１光学ベース接合面４０ｂと、を有している。第１支持ベース接合面４０ａは、第２光学ベース収納部４８の第１突出部４８ａの内側面に矩形に凹んで形成されている。これにより、接着剤の塗布範囲を限定できる。第１光学ベース接合面４０ｂは、光学ベース３０の発光素子収納部３０ａのＹ軸方向正側の外側面に配置されている。
【００２３】
第２接合部４１は、支持ベース３２に設けられた第２支持ベース接合面４１ａと、光学ベース３０に設けられた第２光学ベース接合面４１ｂと、を有している。第２支持ベース接合面４１ａは、第２突出部４８ｂにＬ字形に形成された接合溝４８ｃに配置されている。接合溝４８ｃは、接合腕部３０ｉを、隙間をあけて収納可能に形成されている。第２支持ベース接合面４１ａは、接合溝４８ｃの先端側のＹ軸方向正側の壁面に矩形に凹んで形成されている。第２光学ベース接合面４１ｂは、接合腕部３０ｉの内側面に配置されている。
第２接合部４１は、Ｙ軸方向において第１接合部４０と少なくとも一部が対向して配置されている。第１接合部４０及び第２接合部４１は、第１光軸Ｌ１と実質的に直交するＹ軸の負方向（第２基本軸の一方向の一例）において、接着剤が付着する光学ベース３０の接合面と支持ベース３２の接合面とが同じ順に配置されている。この実施形態では、Ｙ軸の負方向において、第１接合部４０では、第１支持ベース接合面４０ａ、第１光学ベース接合面４０ｂの順に配置され、第２接合部４１でも、第２支持ベース接合面４１ａ、第２光学ベース接合面４１ｂの順に配置されている。
【００２４】
第３接合部４２は、支持ベース３２に設けられた第３支持ベース接合面４２ａと、光学ベース３０に設けられた第３光学ベース接合面４２ｂと、を有している。第３支持ベース接合面４２ａは、第１光学ベース収納部４６のＹ軸方向正側の内側面に第１支持ベース接合面４０ａからＸ軸正方向に間隔を隔てて配置されている。第３支持ベース接合面４２ａは、内側面に矩形に凹んで形成されている。第３光学ベース接合面４２ｂは、光学ベース３０のＹ軸方向正側の外側面のＸ軸方向正側端部に配置されている。
第４接合部４３は、支持ベース３２に設けられた第４支持ベース接合面４３ａと、光学ベース３０に設けられた第４光学ベース接合面４３ｂと、を有している。第４支持ベース接合面４３ａは、支持ベース３２の第２連結部５６に連なる部分に受光素子収納部５０に開口するように形成されたＩ字形の接合溝５０ａに形成されている。接合溝５０ａは、接合腕部３０ｊを、隙間を開けて収納可能に形成されている。第４支持ベース接合面４３ａは、接合溝５０ａのＹ軸方向正側の壁面に凹んで形成されている。第４光学ベース接合面４３ｂは、接合腕部３０ｊの内側面に配置されている。
【００２５】
第４接合部４３は、Ｙ軸方向において第３接合部４２と少なくとも一部が対向して配置されている。第３接合部４２及び第４接合部４３は、第１接合部４０及び第２接合部４１と同様に、第１光軸Ｌ１と実質的に直交するＹ軸の負方向において、接着剤が付着する光学ベース３０の接合面と支持ベース３２の接合面とが同じ順に配置されている。この実施形態では、Ｙ軸の負方向において、第３接合部４２では、第３支持ベース接合面４２ａ、第３光学ベース接合面４２ｂの順に配置され、第４接合部４３でも、第４支持ベース接合面４３ａ、第４光学ベース接合面４３ｂの順に配置されている。
このように構成された光ピックアップ装置４では、ピックアップフレーム８の光学ベース３０と支持ベース３２は、それぞれ４つの接合部４０〜４３に充填された接着剤ＡＤにより接合されている。また、光学ベース３０と、発光素子１１及び受光素子１３と、は同じく接着剤で接合されている。さらに支持ベース３２とアクチュエータ２０も接着剤で接合されている。しかも、接合部分の周囲には全て隙間が形成されており、接合時に種々の調整を三次元的に行えるようになっている。
【００２６】
具体的には、光学部品の位置ずれや傾きを防止するために、各光学部品及び光学ベース３０又は支持ベース３２の少なくとも一方に接着剤を塗布する。そして、各光学部品の光学特性から光学ベース３０及び支持ベース３２との最適な位置となるように三次元で位置調整を行い、調整後に接着剤を硬化させることで、光学部品を位置決めして固定する。なお、接着剤はアクリル系またはエポキシ系の紫外線硬化型接着剤であることが好ましい。
＜記録再生装置の動作＞
図１から図３及び図７を用いて、記録再生装置１の動作について説明する。
図１および図２に示すように、スピンドルモータ７により光ディスク２が回転駆動される。光ピックアップ装置４からレーザ光が情報記録面に対して出射される。光ピックアップ装置４は、移動機構５により光ディスク２に対して半径方向と平行な方向に駆動される。以上の構成により、光ピックアップ装置４からのレーザ光の照射位置を変更することができる。
【００２７】
また、光ピックアップ装置４の内部では、図７に示すように、発光素子１１からＸ軸方向正側に第１光軸Ｌ１に沿ってレーザ光が出射される。このレーザ光は、光学処理部１７により平行光にされる。平行光にされたレーザ光は、Ｘ軸方向正側に進み、立ち上げミラー１８でＺ軸方向正側に第２光軸Ｌ２に沿って折り曲げられ、対物レンズ１９に入射される。対物レンズ１９は、アクチュエータ２０の作用によりフォーカス方向およびトラッキング方向に移動可能であり、対物レンズ１９によりレーザ光が光ディスク２の情報記録面に集光され、情報記録面に記録マークが形成されることで情報が記録される。
光ディスク２上に記録された情報を再生する場合は、情報を記録する場合と同様に、情報記録面にレーザ光を照射する。そして、情報記録面で反射したレーザ光は、図３に示すように、対物レンズ１９、立ち上げミラー１８，光学処理部１７を介して受光素子１３に入射される。受光素子１３に入射されたレーザ光は、受光素子１３により電流値に変換され、その電流値に基づいて情報記録面に記録されている情報が再生される。
【００２８】
＜第１実施形態の作用効果＞
（Ａ）光ピックアップ装置４において、光学ベース３０を支持ベース３２に接着し、接着剤を例えば赤外線等により硬化させると、接着剤が収縮する。第１接合部４０及び第２接合部４１は、第１基本軸（第１光軸Ｌ１）と実質的に直交する第２基本軸（Ｙ軸）の一方向において、接着剤が付着する第１支持ベース接合面４０ａ及び第１光学ベース接合面４０ｂと、第２支持ベース接合面４１ｂ及び第２光学ベース接合面４１ｂと、が同じ順に配置されている。また、第３接合部４２及び第４接合部４３も第１接合部４０及び第２接合部４１と同じ順に各接合面４２ａ，４２ｂ、４３ａ，４３ｂが配置されている。このため、接着剤が硬化収縮しても、支持ベース３２が変形しにくく光学ベース３０が、図３に白抜き矢符で示すように、同じＹ軸正方向に接着剤の収縮量だけわずかに移動するだけである。
【００２９】
ここでは、接着剤が硬化収縮しても、光学ベース３０が一方向にわずかに移動するだけなので、光学ベース３０が傾きにくくなり、発光素子１１から立ち上げミラー１８までの第１光軸Ｌ１及び立ち上げミラー１８で反射した第２光軸Ｌ２が傾きにくくなる。
第１接合部４０及び第２接合部４１は、第１光軸（第１基本軸）Ｌ１と実質的に直交する第２基本軸の一方向において、接着剤が付着する光学ベースの接合面と支持ベースの接合面とが同じ順に配置されている。このため、接着剤が硬化収縮しても、支持ベースが変形しにくく光学ベースが同じ一方向にわずかに移動するだけである。しかも４箇所で光学ベース３０を接合しているので、接合部分が増加して光学ベース３０を強固に接合できる。
（Ｂ）第１接合部４０及び第２接合部４１並びに第３接合部４２及び第４接合部４３が第１光軸Ｌ１を挟んで配置されている。このため、接着剤ＡＤが硬化収縮すると、第１光軸Ｌ１が光軸と直交するＹ軸正方向にわずかにずれることがあるが、第１光軸Ｌ１は、Ｘ軸に対して、第２光軸Ｌ２はＺ軸に対して傾きにくくなる。
【００３０】
（Ｃ）第１接合部４０と第２接合部４１及び第３接合部と第４接合部４３がそれぞれ少なくとも一部が対向して配置されている。第１接合部４０と第２接合部４１での移動量と第３接合部４２と第４接合部４３とでの接着剤の硬化収縮時の移動量が実質的に同じになり、第１光軸Ｌ１及び第２光軸Ｌ２がさらに傾きにくくなる。
（Ｄ）立ち上げミラー１８を支持ベース３２に設けているので、光学ベース３０の大きさを小さくすることができ、ピックアップフレーム８全体の軽量化を図れる。
（Ｅ）光学ベース３０と、支持ベース３２と、が隙間をあけて配置されているので、支持ベース３２が熱膨張しても光学ベース３０が位置ずれにくくなる。
＜第２実施形態＞
第１実施形態では、第１接合部４０及び第２接合部４１と、第３接合部４２及び第４接合部４３と、で接合面を同じ順に配置したが、逆の順で配置しても良い。
【００３１】
以降の説明において、ピックアップフレームの構成以外は前記実施形態と同様なため説明を省略する。また、ピックアップフレームについては前記実施形態と異なる部分のみ説明しその他の同様な部分の説明を省略する。
図８に第２実施形態に係る光ピックアップ装置１０４を示す。ピックアップフレーム１０８において、光学ベース１３０は、第１端面から突出する立ち上げミラー支持部１３０ｎを有している。立ち上げミラー支持部１３０ｎには、立ち上げミラー１８を収納可能な立ち上げミラー収納部１３０ｐが形成されている。
光学ベース１３０は、第３接合部１４２で接合するための接合腕部１３０ｊを有している。接合腕部１３０ｊは、Ｌ字形状であり、光学ベース１３０の第１端面側のＹ軸方向正側の側面からＹ軸方向正側に突出した後に屈曲してＸ軸方向正側に延びている。
【００３２】
第３接合部１４２は、支持ベース１３２に設けられた第３支持ベース接合面１４２ａと、光学ベース１３０に設けられた第３光学ベース接合面１４２ｂと、を有している。第３支持ベース接合面１４２ａは、支持ベース１３２の第１光学ベース収納部１４６に開口するように形成されたＬ字形の接合溝１４６ａに形成されている。接合溝１４６ａは、接合腕部１３０ｊを、隙間を開けて収納可能に形成されている。第３支持ベース接合面１４２ａは、接合溝１４６ａのＹ軸方向負側の壁面に凹んで形成されている。第３光学ベース接合面１４２ｂは、接合腕部１３０ｊの内側面に配置されている。
第４接合部１４３は、支持ベース１３２に設けられた第１支持ベース接合面１４３ａと、光学ベース１３０に設けられた第４光学ベース接合面１４３ｂと、を有している。第４支持ベース接合面１４３ａは、第１光学ベース収納部１４６のＹ軸方向負側の内側面に矩形に凹んで形成されている。第４光学ベース接合面１４３ｂは、光学ベース１３０の第１端側のＹ軸方向負側の外側面に配置されている。
【００３３】
ここでは、第１接合部４０及び第２接合部４１では、前述したようにＹ軸の負方向において、第１支持ベース接合面４０ａ及び第１光学ベース接合面４０ｂと、第２支持ベース接合面４１ａ及び第２光学ベース接合面４１ｂと、が同じ順に配置されている。また、第３接合部１４２及び第４接合部１４３では、第１接合部４０及び第２接合部４１と逆の順に接合面が配置されている。具体的には、第３接合部１４２及び第４接合部１４３では、Ｙ軸の負方向において、第３光学ベース接合面１４２ｂ及び第３支持ベース接合面１４２ａと、第４光学ベース接合面１４３ｂ及び第２支持ベース接合面１４３ａと、が同じ順に配置されている。
＜第２実施形態の作用効果＞
このように接合面を第１接合部４０及び第２接合部４１と第３接合部１４２及び第４接合部１４３とで逆の順に配置すると、接着剤が硬化収縮すると、図８に白抜き矢符で示すように、光学ベース１３０が時計回りに僅かに回動する。しかし、立ち上げミラー１８が光学ベース１３０に設けられているので、立ち上げミラー１８もともに回動する。したがって、第１光軸Ｌ１はＸ軸に対して僅かに傾いても、第２光軸Ｌ２は、Ｚ軸に対してほとんど傾かない。このため、立ち上げミラーで反射した第２光軸Ｌ２が傾きにくくなる。
【００３４】
＜第３実施形態＞
第１及び第２実施形態では、第１基本軸として第１光軸Ｌ１を例示したが、第１基本軸は、第１光軸Ｌ１と実質的に直交する軸であっても良い。
図９及び図１０に、第３実施形態による光ピックアップ装置２０４，３０４を示す。
図９及び図１０において、第１接合部２４０，３４０と第２接合部２４１，３４１は、第１光軸Ｌ１と直交する第３光軸Ｌ３を挟んで配置されている。また、第３接合部２４２，３４２と第４接合部２４３，３４３も、第３光軸Ｌ３を挟んで配置されている。第３光軸Ｌ３は、光ディスクから反射した光を光学処理部１７で反射させて受光素子１３に導く光軸であり、Ｘ軸に沿って配置されている。なお、図９では、第１接合部２４０及び第２接合部２４１と、第３接合部２４２及び第４接合部２４３において、接合面が同じ順に配置されている。図１０では、第１接合部２４０及び第２接合部２４１と、第３接合部２４２及び第４接合部２４３において、接合面が逆の順に配置されている。
【００３５】
図９に示すピックアップフレーム２０８において、光学ベース２３０は、第３接合部２４２で接合するための接合腕部２３０ｉを有している。接合腕部２３０ｉは、Ｉ字形状であり、発光素子収納部３０ａのＹ軸方向負側の外側面にＹ軸方向負側に延びている。
第１接合部２４０は、支持ベース３２に設けられた第１支持ベース接合面２４０ａと、光学ベース３０に設けられた第１光学ベース接合面２４０ｂと、を有している。第１支持ベース接合面２４０ａは、第２光学ベース収納部２４８の第１突出部２４８ａの底面に矩形に凹んで形成されている。第１光学ベース接合面２４０ｂは、光学ベース２３０の発光素子収納部３０ａのＸ軸方向正側の外側面に配置されている。
第２接合部２４１は、支持ベース２３２に設けられた第２支持ベース接合面２４１ａと、光学ベース２３０に設けられた第２光学ベース接合面２４１ｂと、を有している。第２支持ベース接合面２４１ａは、第１光学ベース収納部４６の底面の第１光軸Ｌ１のＹ軸方向正側に凹んで形成されている。第２光学ベース接合面２４１ｂは、光学ベース２３０のＸ軸方向正側の端面のＹ軸方向正側に配置されている。
【００３６】
第２接合部２４１は、Ｘ軸方向において第１接合部２４０と対向しない位置に配置されている。第１接合部２４０及び第２接合部２４１は、Ｘ軸方向の正方向（第２基本軸の一方向の一例）において、接着剤が付着する光学ベース３０の接合面と支持ベース３２の接合面とが同じ順に配置されている。この実施形態では、Ｘ軸の正方向において、第１接合部２４０では、第１光学ベース接合面２４０ｂ、第１支持ベース接合面２４０ａの順に配置され、第２接合部２４１でも、第２光学ベース接合面２４１ｂ、第２支持ベース接合面２４１ａの順に配置されている。
第３接合部２４２は、支持ベース２３２に設けられた第３支持ベース接合面２４２ａと、光学ベース２３０に設けられた第３光学ベース接合面２４２ｂと、を有している。第３支持ベース接合面２４２ａは、第２光学ベース収納部２４８のＹ軸方向負側の内側面に形成された接合溝２４８ｃに配置されている。接合溝２４８ｃは、隙間を開けて接合腕部２３０ｉを収納可能であり、第２光学ベース収納部２４８の内側面からＩ字形にＹ軸方向負側に凹んで形成されている。第３支持ベース接合面２４２ａは、接合溝２４８ｃのＸ軸方向正側の壁面に矩形に凹んで形成されている。第３光学ベース接合面２４２ｂは、光学ベース２３０の接合腕部２３０ｉのＸ軸方向正側の外側面に配置されている。
【００３７】
第４接合部２４３は、支持ベース２３２に設けられた第４支持ベース接合面２４３ａと、光学ベース２３０に設けられた第４光学ベース接合面２４３ｂと、を有している。第４支持ベース接合面２４３ａは、第２支持ベース接合面２４１ａと第１光軸Ｌ１を挟んで逆側に矩形に凹んで形成されている。第４光学ベース接合面２４３ｂは、第２光学ベース接合面２４１ｂと第１光軸Ｌ１を挟んで逆側に配置されている。
第４接合部２４３は、Ｘ軸方向において第３接合部２４２と対向しない位置に配置されている。第３接合部２４２及び第４接合部２４３は、第１接合部２４０及び第２接合部２４１と同じ順に、第３光軸Ｌ３と実質的に直交するＸ軸の正方向において、接着剤が付着する光学ベース２３０の接合面と支持ベース２３２の接合面とが配置されている。この実施形態では、Ｘ軸の正方向において、第３接合部２４２では、第３光学ベース接合面２４２ｂ、第３支持ベース接合面２４２ａの順に配置され、第４接合部２４１でも、第４光学ベース接合面２４３ｂ、第４支持ベース接合面２４３ａの順に配置されている。
【００３８】
図１０に示す光ピックアップ装置３０４は、図９に示す光ピックアップ装置２０４に対して、ピックアップフレーム３０８の第３接合部３４２及び第４接合部３４３の接合面の配置が第１接合部２４０及び第２接合部２４１と逆なっている点が異なる。また、光学ベース３３０に立ち上げミラー１８が設けられている点が異なる。なお、立ち上げミラー１８に関連する構成は、図８に示す第２実施形態と同じであるため説明を省略する。また、第１接合部３４０及び第２接合部３４１も図９に示す実施形態と同様なため説明を省略する。
図１０に示すピックアップフレーム３０８において、光学ベース３３０は、第３接合部３４２で接合するための接合腕部３３０ｉを有している。接合腕部３３０ｉは、Ｉ字形状であり、発光素子収納部３０ａのＹ軸方向負側の外側面にＹ軸方向負側に延びている。また、光学ベース３３０は、Ｙ軸方向負側の側面からＹ軸方向正側に凹む接合凹部３３０ｊを有している。
【００３９】
第３接合部３４２は、支持ベース３３２に設けられた第３支持ベース接合面３４２ａと、光学ベース２３０に設けられた第３光学ベース接合面３４２ｂと、を有している。第３支持ベース接合面３４２ａは、第２光学ベース収納部３４８のＹ軸方向負側の内側面に形成された接合溝３４８ｃに配置されている。接合溝３４８ｃは、隙間を開けて接合腕部３３０ｉを収納可能であり、第２光学ベース収納部３４８の内側面からＩ字形にＹ軸方向負側に凹んで形成されている。第３支持ベース接合面３４２ａは、接合溝３４８ｃのＸ軸方向負側の壁面に矩形に凹んで形成されている。第３光学ベース接合面３４２ｂは、光学ベース２３０の接合腕部３３０ｉのＸ軸方向負側の外側面に配置されている。
第４接合部３４３は、支持ベース３３２に設けられた第４支持ベース接合面３４３ａと、光学ベース３３０に設けられた第４光学ベース接合面３４３ｂと、を有している。第４支持ベース接合面３４３ａは、接合凹部３３０ｊに向け突出するように第１光学ベース収納部４６の内側面に形成された接合突部３４６ａの配置されている。第４支持ベース接合面３４３ａは、接合突部３４６ａのＸ軸方向正側の壁面に凹んで形成されている。第４光学ベース接合部３４３ｂは、接合凹部３３０ｊのＸ軸方向正側の壁面に配置されている。
【００４０】
第４接合部３４３は、Ｘ軸方向において第３接合部３４２と対向しない位置に配置されている。第３接合部３４２及び第４接合部３４３は、第１接合部２４０及び第２接合部２４１と逆の順に、第３光軸Ｌ３と実質的に直交するＸ軸の正方向において、接着剤が付着する光学ベース３３０の接合面と支持ベース３３２の接合面とが配置されている。この実施形態では、Ｘ軸の正方向において、第３接合部３４２では、第３支持ベース接合面３４２ａ、第３光学ベース接合面３４２ｂの順に配置され、第４接合部３４３でも、第４支持ベース接合面３４３ａ、第４光学ベース接合面３４３ｂの順に配置されている。
＜第３実施形態の作用効果＞
図９に示す光ピックアップ装置２０４では、第１光軸Ｌ１と直交する第３軸Ｌ３を挟んで第１接合部２４０と第２接合部２４１及び第３接合部２４２と第４接合部２４３が配置され、かつ接合面が同じ順に配置されている。このため、接着剤が硬化収縮しても、光学ベース２３０が図９に白抜き矢符で示すＸ軸の負方向（第１光軸Ｌ１）方向に僅かにずれるだけである。このため、第１光軸Ｌ１が傾きにくくなり、第２光軸Ｌ２も傾きにくくなる。
【００４１】
図１０に示す光ピックアップ装置３０４では、第１光軸Ｌ１と直交する第３軸Ｌ３を挟んで第１接合部３４０と第２接合部３４１及び第３接合部３４２と第４接合部３４３が配置され、かつ接合面が逆の順に配置されている。このため、接着剤が硬化収縮すると、図１０に白抜き矢符で示すように、光学ベース３３０が時計回りに僅かに回動する。しかし、立ち上げミラー１８が光学ベース３３０に設けられているので、立ち上げミラー１８もともに回動する。したがって、第１光軸Ｌ１はＸ軸に対して僅かに傾いても、第２光軸Ｌ２は、Ｚ軸に対してほとんど傾かない。このため、立ち上げミラーで反射した第２光軸Ｌ２が傾きにくくなる。
以上、本発明の一実施形態について説明したが、本発明は前記実施形態に限定されるものではなく、発明の要旨を逸脱しない範囲で種々の変更が可能である。
【００４２】
＜他の実施形態＞
（ａ）前記実施形態では、光ピックアップ装置が主軸９ａ及び副軸９ｂに沿って直線的に移動したが、揺動するようにしても良い。
（ｂ）前記実施形態では、支持ベースが一体形成されているが、支持ベースを、たとえば、主軸側と副軸側とで別体にしても良い。
【産業上の利用可能性】
【００４３】
本発明に係る光ピックアップ装置用ピックアップフレーム、光ピックアップ装置および光学式情報記録再生装置は、ハイブリッド型のピックアップフレームにおいて、温度上昇による合成樹脂製の支持ベースの熱変形を低減する図ることができる。このため、小型化が必要とされる、あるいは、高熱化しやすい、大容量の記録媒体からの読み出しや、高倍速記録を行う光学式情報記録再生装置の関連分野において有用であり、かつ、実施することができる。
【図面の簡単な説明】
【００４４】
【図１】本発明の第１実施形態に係る記録再生装置の概略斜視図。
【図２】本発明の第１実施形態に係る記録再生装置の一部の概略斜視図。
【図３】本発明の第１実施形態に係る光ピックアップ装置の平面図。
【図４】本発明の第１実施形態に係るピックアップフレームの斜視図。
【図５】そのピックアップフレームの分解斜視図。
【図６】図３のＶI−ＶI断面図。
【図７】光ピックアップ装置の光軸を示す模式図。
【図８】第２実施形態に係る光ピックアップ装置の平面図。
【図９】第３実施形態に係る光ピックアップ装置の平面図。
【図１０】第３実施形態の変形例に係る光ピックアップ装置の平面図。
【符号の説明】
【００４５】
１  記録再生装置
２  光ディスク（記録媒体）
４，１０４，２０４，３０４  光ピックアップ装置
６  記録媒体載置部
８，１０８，２０８，３０８  ピックアップフレーム
１０  固定台
１１  発光素子
１７  光学処理部
１８  立ち上げミラー
３０，１３０，２３０，３３０  光学ベース
３２、１３２，２３２，３３２  支持ベース
４０，１４０，２４０，３４０  第１接合部
４０ａ，１４０ａ，２４０ａ  第１支持ベース接合面
４０ｂ，１４０ｂ，２４０ｂ  第１光学ベース接合面
４１，１４１，２４１，３４１  第２接合部
４１ａ，１４１ａ，２４１ａ  第２支持ベース接合面
４１ｂ，１４１ｂ，２４１ｂ  第２光学ベース接合面
４２，１４２，２４２，３４２  第３接合部
４２ａ，１４２ａ，２４２ａ，３４２ａ  第３支持ベース接合面
４２ｂ，１４２ｂ，２４２ｂ，３４２ｂ  第３光学ベース接合面
４３，１４３，２４３，３４３  第４接合部
４３ａ，１４３ａ，２４３ａ，３４３ａ  第４支持ベース接合面
４３ｂ，１４３ｂ，２４３ｂ，３４３ｂ  第４光学ベース接合面
【図１】
2010123202.tif 000003
【図２】
2010123202.tif 000004
【図３】
2010123202.tif 000005
【図４】
2010123202.tif 000006
【図５】
2010123202.tif 000007
【図６】
2010123202.tif 000008
【図７】
2010123202.tif 000009
【図８】
2010123202.tif 000010
【図９】
2010123202.tif 000011
【図１０】
2010123202.tif 000012